(57)【要約】【課題】ユーザの意図と異なる操作入力を低減する入力装置を提供する。【解決手段】表示装置の表示画面を切り替えるための操作体による入力がなされる操作面と、操作面と操作体との距離に応じて変化する計測値を取得する距離取得部と、操作面と操作体との距離が閾値未満となる第１操作領域と、閾値以上となる第２操作領域とを設定する操作領域設定部と、第１操作領域又は第２操作領域における操作体の移動を検知し、表示画面を切り替える表示画面切替部と、第２操作領域における移動操作によって表示画面を切り替えない禁止状態とする禁止状態設定部と、切替操作部から所定の信号を受信し、信号が禁止状態を解除する禁止状態解除信号であるか否かを判定する信号判定部と、信号判定部によって禁止状態解除信号であると判定された場合、禁止状態を解除する禁止状態解除部と、を備えるようにする。【選択図】図１
2015030388.tif 000002
【特許請求の範囲】
【請求項１】
表示装置を備える車両に搭載される入力装置であって、
前記表示装置の表示画面を切り替えるための操作体による入力がなされる操作面と、
前記操作面と前記操作体との距離に応じて変化する計測値を取得する距離取得部と、
前記操作面と前記操作体との距離が閾値未満となる第１操作領域と、前記操作体距離が前記閾値以上となる第２操作領域とを設定する操作領域設定部と、
前記第１操作領域又は前記第２操作領域における前記操作体の移動を検知し、前記表示画面を切り替える表示画面切り替え部と、
前記第２操作領域における前記移動操作によって前記表示画面を切り替えない禁止状態とする禁止状態設定部と、
前記操作面の上方空間から外れた位置に設けられた切替操作部から所定の信号を受信し、該信号が禁止状態を解除する禁止状態解除信号であるか否かを判定する信号判定部と、
前記信号判定部によって前記禁止状態解除信号であると判定された場合、前記禁止状態を解除する禁止状態解除部と、
を備えることを特徴とする入力装置。
【請求項２】
前記切替操作部は前記操作面と所定距離離れた位置から前記操作面に向けて設けられる所定の長さを有するガイド部であって、
前記禁止状態解除信号は前記操作体の前記ガイド部に沿った移動に基づいて生じるものであることを特徴とする、
請求項１に記載の入力装置。
【請求項３】
前記信号判定部は、前記車両のセンターコンソールパネルの運転手側に設けられた運転席側切替操作部から受信した運転手側信号と、前記センターコンソールパネルの助手席側に設けられ、前記運転席側切替操作部とは異なる助手席側切替操作部から受信した助手席側信号とを区別して検知し、前記信号判定部が、前記運転手側信号を検知した結果、前記禁止状態解除部が前記禁止状態を解除した場合、前記表示画面切り替え部は、前記表示画面の切り替えの内、前記車両の走行中に特定の切り替えを許容せず、
前記信号判定部が、前記助手席側信号を検知した結果、前記禁止状態解除部が前記禁止状態を解除した場合、前記表示画面切り替え部は、前記表示画面の切り替えの内、特定の切り替えを許容することを特徴する、
請求項１または２記載の入力装置。
【請求項４】
前記表示画面切り替え部は、前記第１操作領域内に前記操作体が位置している場合と、前記第２操作領域内に前記操作体が位置している場合とで、前記操作体の移動に起因する前記表示画面の切り替え態様を異ならせることを特徴とする、請求項１ないし３のいずれか１項に記載の入力装置。
【請求項５】
前記閾値は、前記第１操作領域内に前記操作体が位置している場合と、前記第２操作領域内にのみ前記操作体が位置している場合とで異なることを特徴とする、請求項１ないし４のいずれか１項に記載の入力装置。
【請求項６】
前記禁止状態設定部は、前記第１操作領域及び前記第２操作領域における前記移動操作がなくなった後、所定時間経過すると前記禁止状態を再設定することを特徴とする、請求項１ないし５のいずれか１項に記載の入力装置。
【請求項７】
前記ガイド部は発光部を備えていることを特徴とする、請求項２ないし６のいずれか１項に記載の入力装置。
【請求項８】
表示装置を備える車両に搭載される入力装置であって、
操作体による入力がなされる操作面と、
前記操作面と前記操作体との距離を取得する距離取得部と、
前記操作面上の前記操作体の移動を検出し、前記表示画面を切り替える表示制御部と、
前記操作面と所定距離だけ離れた位置から前記操作面に向かって設けられ、所定の長さを有するガイド部と、
前記操作体の前記ガイド部に沿った移動を検知するモード切り替え操作検出部と、
前記操作面と前記操作体との距離が所定距離以内の前記操作体の移動のみ前記表示画面の切り替えに反映する空中操作禁止モードと、前記操作面と前記操作体との距離が所定距離を超えた前記移動体の操作も前記表示画面の切り替えに反映する空中操作許容モードとを切り替えるモード切り替え部とを備え、
前記モード切り替え部は、前記モード切り替え操作検出部が、前記操作体が前記ガイド部に沿って移動したことを検出したときに前記空中操作禁止モードを前記空中操作許容モードに切り替えることを特徴とする入力装置。
【発明の詳細な説明】
【技術分野】
【０００１】
本発明は車両の表示装置を操作するための、入力装置に関するものである。
【背景技術】
【０００２】
空中操作入力が可能な車両用入力装置の一例として特許文献１に記載されたものが知られている。
【先行技術文献】
【特許文献】
【０００３】
【特許文献１】特開２０１１−１１８８５７号公報
【発明の概要】
【発明が解決しようとする課題】
【０００４】
しかしながら、特許文献１に記載の入力装置は、接触操作と空中操作との切り替えに関して、明確な切り替え方法が開示されていない。そのため、特許文献１の入力装置では、ユーザが誤って空中操作を行ってしまう可能性があり、操作性が悪いという課題がある。
【０００５】
そこで、本発明は、接触操作と空中操作を明確に切り替えることが出来る車両用入力装置を提供することを目的とする。
【課題を解決するための手段】
【０００６】
上記目的を達成するために、請求項１に記載の入力装置は、表示装置を備える車両に搭載される入力装置であって、表示装置の表示画面を切り替えるための操作体による入力がなされる操作面と、操作面と操作体との距離に応じて変化する計測値を取得する距離取得部と、操作面と操作体との距離が閾値未満となる第１操作領域と、操作体距離が閾値以上となる第２操作領域とを設定する操作領域設定部と、第１操作領域又は第２操作領域における操作体の移動を検知し、表示画面を切り替える表示画面切り替え部と、第２操作領域における移動操作によって表示画面を切り替えない禁止状態とする禁止状態設定部と、操作面の上方空間から外れた位置に設けられた切替操作部から所定の信号を受信し、該信号が禁止状態を解除する禁止状態解除信号であるか否かを判定する信号判定部と、信号判定部によって禁止状態解除信号であると判定された場合、禁止状態を解除する禁止状態解除部と、を備えることを特徴とする。
【０００７】
このように、請求項１に記載の入力装置は、禁止状態の場合、第２操作領域において操作体の移動が行われても、表示装置の表示画面は切り替わらない。ユーザが誤って、第２操作領域において操作体を移動させても、表示装置の表示画面は切り替わることがない。
【０００８】
また、ユーザが意図的に切替操作部を操作し、禁止状態を解除すれば、第２操作領域における操作体の移動により、表示装置の表示画面を切り替えることが出来る。そのため、ユーザが誤って空中操作を行ってしまう可能性を低減できる。
【０００９】
また、請求項２に記載の入力装置のように、請求項１に記載の入力装置において、切替操作部は操作面と所定距離離れた位置から操作面に向けて設けられ、所定の長さを有するガイド部であって、禁止状態解除信号は操作体のガイド部に沿った移動に基づいて生じるものであることを特徴としてもよい。
【００１０】
このようにすれば、ユーザは、操作面と所定距離だけ離れた位置から操作面に向けて操作体を移動させ、そのまま第２操作領域における操作体の移動操作によって表示画面を切り替えることができ、禁止状態を解除する操作の煩雑さを低減させることができる。
【００１１】
また、請求項３に記載の入力装置のように、請求項１または２に記載の入力装置において、信号判定部は、車両のセンターコンソールパネルの運転手側に設けられた運転席側切替操作部から受信した運転手側信号と、センターコンソールパネルの助手席側に設けられ、運転席側切替操作部とは異なる助手席側切替操作部から受信した助手席側信号とを区別して検知し、信号判定部が、運転手側信号を検知した結果、禁止状態解除部が禁止状態を解除した場合、表示画面切り替え部は、表示画面の切り替えの内、車両の走行中に特定の切り替えを許容せず、信号判定部が、助手席側信号を検知した結果、禁止状態解除部が禁止状態を解除した場合、表示画面切り替え部は、表示画面の切り替えの内、特定の切り替えを許容することを特徴してもよい。
【００１２】
このように、車両走行中に運転手による特定の切り替えを制限することで、運転手を運転操作に集中させることができる。一方で、助手側乗員が入力装置を操作する場合は、特定の切り替えを制限する必要はなく、上記特定の切り替えを許容することが望ましい。
【００１３】
また、請求項４に記載の入力装置のように、請求項１ないし３のいずれか１項に記載の入力装置において、表示画面切り替え部は、第１操作領域内に操作体が位置している場合と、第２操作領域内に操作体が位置している場合とで、操作体の移動に起因する表示画面の切り替え態様を異ならせることを特徴としてもよい。
【００１４】
このように、操作体が第１操作領域と第２操作領域とのどちらに位置しているかにより、表示装置の切り替え態様を異ならせることにより、ユーザは自らが操作する操作体が、現在、第１操作領域と第２操作領域とのどちらに位置しているかを知ることが出来る。
【００１５】
また、請求項５に記載の入力装置のように、請求項１ないし４のいずれか１項に記載の入力装置において、閾値は、第１操作領域内に操作体が位置している場合と、第２操作領域内にのみ操作体が位置している場合とで異なることを特徴としてもよい。
【００１６】
このようにすると、操作体が位置する操作領域が頻繁に切り替わってしまう可能性を低減することが出来る。
【００１７】
また、請求項６に記載の入力装置のように、請求項１ないし５のいずれか１項に記載の入力装置において、禁止状態設定部は、第１操作領域及び第２操作領域における移動操作がなくなった後、所定時間経過すると禁止状態を再設定することを特徴としてもよい。
【００１８】
このようにすると、入力装置はユーザが意図せずとも、所定時間経過すれば禁止状態が再設定されるため、ユーザが操作入力を終える度に自ら禁止状態を設定する必要がなく、ユーザーが禁止状態を設定し忘れたことに起因する意図しない表示画面の切り替わりをより低減できる。
【００１９】
また、請求項７に記載の入力装置のように、請求項１ないし６のいずれか１項に記載の入力装置において、ガイド部は発光部を備えていることを特徴とする。
【００２０】
このようにすると、操作体がガイド部に沿って移動した時に発光させることが出来る。
【００２１】
また、請求８に記載の入力装置は、表示装置を備える車両に搭載される入力装置であって、操作体による入力がなされる操作面と、操作面と操作体との距離を取得する距離取得部と、操作面上の操作体の移動を検出し、表示画面を切り替える表示制御部と、操作面と所定距離だけ離れた位置から操作面に向かって設けられ、所定の長さを有するガイド部と、操作体のガイド部に沿った移動を検知するモード切り替え操作検出部と、操作面と操作体との距離が所定距離以内の操作体の移動のみ表示画面の切り替えに反映する空中操作禁止モードと、操作面と操作体との距離が所定距離を超えた移動体の操作も表示画面の切り替えに反映する空中操作許容モードとを切り替えるモード切り替え部とを備え、モード切り替え部は、モード切り替え操作検出部が、操作体がガイド部に沿って移動したことを検出したときに空中操作禁止モードを空中操作許容モードに切り替えることを特徴とする。
【００２２】
このようにすると、ユーザは空中操作禁止モードと、空中操作許容モードとを自由に切り替えることができ、ユーザの意図と異なる表示画面の切り替わりを低減できる。
【図面の簡単な説明】
【００２３】
【図１】本発明の第一実施形態における、車室内の表示装置と入力装置の配置関係を示す図である。
【図２】本発明の第一実施形態における、表示装置と入力装置の構成を示す図である。
【図３】本発明の第一実施形態における、入力装置の第１操作領域と第２操作領域を説明するための図である。
【図４】本発明の第一実施形態における、表示装置が表示する操作パネル画面の切り替えを説明するための図である。
【図５】本発明の第一実施形態における、表示装置が表示する画面の種類を説明するための図である。
【図６】本発明の第一実施形態における、操作パネル画面におけるアイコンの切り替えの様子を説明するための図である。
【図７】本発明の第一実施形態における、操作状態の切り替えを説明するための図である。
【図８】本発明の第一実施形態における、操作状態と最大静電容量値との関係を説明するための図である。
【図９】本発明の変形例において、操作状態が頻繁に切り替わらないことを説明するための図である。
【図１０】本発明の変形例における、操作状態と最大静電容量値の閾値との関係を説明するための図である。
【図１１】本発明の第一実施形態における、禁止状態と禁止状態解除部を説明するための図である。
【図１２】本発明の第一実施形態における、入力装置を用いた表示装置の表示画面の切り替えを説明するフローチャートである。
【図１３】本発明の第一実施形態における、車両の走行中であり、かつ操作体が近接中領域の位置している時の表示画面を説明するための図である。
【図１４】本発明の第一実施形態において、車両の走行中であり、かつ操作体がタッチ中領域の位置している時の表示画面を説明するための図である。
【図１５】本発明の第一実施形態における、操作状態を近接中に設定するための処理を説明するフローチャートである。
【図１６】本発明の第一実施形態における、操作状態が近接中時の、入力装置の動作を説明するためのフローチャートである。
【図１７】本発明の第一実施形態における、操作状態がタッチ中時の、入力装置の動作を説明するためのフローチャートである。
【図１８】本発明の第一実施形態における、決定操作入力を説明するためのフローチャート図である。
【図１９】本発明の第二実施形態における、禁止状態と禁止状態解除部を説明するための図である。
【図２０】本発明の第二実施形態における、入力装置を用いた表示装置の表示画面の切り替えに関する一連の流れを説明するフローチャートである。
【図２１】本発明の第二実施形態における、操作状態を近接中に設定するための処理を説明するためのフローチャートである。
【図２２】本発明の第二実施形態における、入力装置を操作する乗員を判別する処理を説明するためのフローチャートである。
【図２３】本発明の第二実施形態における、車両が走行中であり、かつ操作体が近接中領域に位置している時の、操作する乗員と入力装置の操作入力との関係を説明するための図である。
【図２４】本発明の第二実施形態における、車両が走行中であり、かつ操作体がタッチ中領域に位置している時の、操作する乗員と入力装置の操作入力との関係を説明するための図である。
【図２５】本発明の第一実施形態における、決定操作入力を説明するためのフローチャートである。
【図２６】本発明の変形例の一種であり、切替操作部をスイッチにした場合の例である。
【００２４】
以下、本発明の複数の実施形態を図面に基づいて説明する。なお、各実形態において対応する構成要素にはどう位置の符号を付すことにより、重複する説明を省略する場合がある。各実施形態においての構成の一部のみを説明している場合、当該構成の他の部分については、先行して説明した他の実施形態の構成を適用することが出来る。また、各実施形態の説明において明示している構成の組み合わせばかりでなく、特に組み合わせに支障が生じなければ、明示していなくても複数の実施形態の構成同士を部分的に組み合わせることが出来る。
【発明を実施するための形態】
【００２５】
（第一実施形態）
以下、本発明の第一実施形態について、図１〜１８に基づいて説明する。図１は車室内の入力装置と表示装置の配置を示す図である。本実施形態の入力装置は、表示装置と別に設けられた、いわゆる遠隔操作デバイス１０である。表示装置はカーナビゲーション、オーディオ、電話、エアコン等の後述する操作パネル画面を表示するマルチインフォメーションディスプレイシステム２０（以下、単にディスプレイシステム２０と称する）である。また、このディスプレイシステム２０は、ディスプレイシステム２０自身の輝度や文字サイズ等を調整する設定画面も表示する。遠隔操作デバイス１０は、センターコンソール３０上に配置されている。ディスプレイシステム２０は、ダッシュボード４０の中央に配置されている。遠隔操作デバイス１０とディスプレイシステム２０はＣｏｎｔｒｏｌｌｅｒ  Ａｒｅａ  Ｎｅｔｗｏｒｋ５０（以下、ＣＡＮ５０）で接続されている。
【００２６】
ダッシュボード４０の車両左右方向の中央部分とセンターコンソール３０とをつなぐセンタークラスター４１には、遠隔操作デバイス１０と所定距離だけ離れた位置から遠隔操作デバイス１０に向けて設けられ、所定の長さ（本実施形態では１０ｃｍ以上）を有するガイド部８０が、切替操作部として設けられている。具体的に、ガイド部８０の一端は、センタークラスター４１に配置されたエアコン吹出口２８の下方から、遠隔操作デバイス１０と隣接する位置に向け、設けられている。
【００２７】
また、本実施形態におけるガイド部８０は、導電体から構成された細長い静電容量センサからなり、該導電体に接近する指などの操作体（以下、指）と、該導電体との間に生ずる静電容量による物質量を測定することで、指のガイド部８０への接近及び、その移動方向を検知することができる。
【００２８】
そして、本実施形態におけるガイド部８０には、その長手方向に沿って複数の発光ダイオード２９が設けられている。この複数の発光ダイオード２９は、指の移動に伴って光るように制御される。そのため、ユーザは指が適切にガイド部８０に沿って移動出来ていることを把握することができる。
【００２９】
次に、図２を用いて本実施形態における遠隔操作デバイス１０とディスプレイシステム２０について、より詳しく説明する。遠隔操作デバイス１０は、本実施形態における操作面である意匠パネル１１に覆われた静電容量式のタッチセンサ１２を有している。静電容量式のタッチセンサ１２は、本実施形態における距離取得部であり、指が意匠パネル１１に接触したことを検出するだけでなく、指が意匠パネル１１の表面に近接しただけの近接中操作も検出することができる。
【００３０】
具体的には、図３に示すタッチ中領域１０１に指が位置している場合には、遠隔操作デバイス１０は、指が意匠パネル１１に接触したものと判定し、近接中操作領域１０２で示す空間内にのみ指が位置する場合には、遠隔操作デバイス１０は、指が意匠パネル１１に近接しただけの近接中操作を行っていると判断する。
【００３１】
また、ガイド部８０は、静電容量式タッチセンサ１２の意匠パネル１１の上方空間から外れた位置に設けられている。
【００３２】
次に、遠隔操作デバイス１０の構成について説明する。遠隔操作デバイス１０は、ＣＡＮ５０を介して中央演算装置２３と接続されている。また、中央演算装置２３は、車両に搭載される各コンポーネントの制御装置と接続されている。各コンポーネントの制御装置は例えば、図示しないカーナビゲーションＥＣＵ、エアコンＥＣＵ、オーディオＥＣＵ、外部接続ＥＣＵなどである。遠隔操作デバイス１０は、中央演算装置２３に前述の各コンポーネントに対する操作入力信号を送信する。そして、中央演算装置２３は、遠隔操作デバイス１０から受信した操作入力信号に基づいて、各コンポーネントに対して操作入力を行う。つまり、ユーザは遠隔操作デバイス１０を用いて、各コンポーネントに対して操作入力を行うことが出来る。
【００３３】
遠隔操作デバイス１０は、中央演算装置２３に操作入力信号を送信すると共に、ディスプレイシステム２０に対しても、ＣＡＮ５０による通信で操作入力信号を送信する。そして、ディスプレイシステム２０は受信した操作入力信号に基づいて、ＬＣＤ２１に操作パネル画面やアイコンなどを表示する。操作パネル画面は、遠隔操作デバイス１０が操作するコンポーネントに対応した画面である。アイコンは遠隔入力デバイス１０が各コンポーネントに対して行う操作入力を視覚的に表すものである。つまり、ディスプレイシステム２０は、遠隔操作デバイス１０がコンポーネントに対して操作入力を行う際に、操作対象に対応した操作パネル画面やアイコンを表示する。そのため、ユーザは遠隔操作デバイス１０を用いて、ディスプレイシステム２０上のアイコンに対して所定の操作入力を行うと、各コンポーネントにも対応した操作入力を行うことが出来る。
【００３４】
ディスプレイシステム２０は、液晶ディスプレイ（以下、ＬＣＤ）２１と表示制御部２２を備えている。表示制御部２２は、図示しない各種演算処理を行うプロセッサ、演算処理の作業領域として機能するＲＡＭ、画像の描画処理を行うグラフィックプロセッサ、描画処理の作業領域として機能するグラフィックＲＡＭ等によって構成される。表示制御部２２は、遠隔操作デバイス１０から中央演算装置２３を介して受信した操作入力信号に基づいて描画処理を行い、画像をＬＣＤ２１に表示する。ＬＣＤ２１に表示される画像は、遠隔操作デバイス１０によって操作入力されるコンポーネントの操作パネル画面やアイコンを表示する。
【００３５】
また、遠隔操作デバイス１０は、意匠パネル１１、タッチセンサ１２、操作制御部１３、通信制御部１４、５Ｖ電源１５、プッシュスイッチ１６を備えている。また、遠隔操作デバイス１０は、通信インターフェース１７、ＣＡＮ−Ｈ接続部１８、ＣＡＮ−Ｌ接続部１９、ＶＣＣ電源インターフェース１９１、ＡＣＣ電源インターフェース１９２、バッテリー電源接続箇所１９３、ＡＣＣ電源接続部１９４、を備えている。
【００３６】
意匠パネル１１は、短形平板上の形状である。意匠パネル１１の配置場所に対して、車両左右方向の運転手席側をｘ軸とし、車両進行方向側をｙ軸とした時、意匠パネル１１の裏面には、ｘ軸に沿って延びる複数の電極とｙ軸に沿って延びる複数の電極とが格子状に配列されることによって、形成されるタッチセンサ１２が設けられている。そして、タッチセンサ１２のｘ軸方向の電極とｙ軸方向との電極とが交差する交差箇所に指が接近すると、交差箇所の静電容量の値が、変化する。ｘ軸方向の各電極とｙ軸方向の各電極はそれぞれ、操作制御部１３と接続されている。
【００３７】
操作制御部１３は、本実施形態における表示画面切り替え部、禁止状態設定部、信号判定部、禁止状態解除部である。操作制御部１３は、各種演算処理を行うプロセッサ、演算処理の作業領域として機能するＲＡＭ、及び演算処理に用いられるプログラム等が格納されたフラッシュメモリ等によって構成されている。
【００３８】
操作制御部１３はタッチセンサ１２と接続されている。また、操作制御部１３は通信制御部１４と接続されている。また、操作制御部１３は５Ｖ電源１５と接続されている。また、操作制御部１３はプッシュスイッチ１６と接続されている。また、操作制御部１３はＡＣＣ電源インターフェース１９２と接続されている。５Ｖ電源１５はＶＣＣ電源インターフェース１９１と接続されている。ＶＣＣ電源インターフェース１９１はバッテリー電源接続箇所１９３を介して、バッテリー７０と接続されている。ＡＣＣ電源インターフェース１９２はＡＣＣ電源接続箇所１９４及びスイッチ７１を介して、バッテリー７０と接続されている。通信制御部１４は通信インターフェース１７と接続されている。通信インターフェース１７はＣＡＮ−Ｈ接続箇所１８及びＣＡＮ−Ｌ接続箇所１９を介して、ＣＡＮ５０と接続されている。
【００３９】
ＣＡＮ５０は、中央演算装置２３、ディスプレイシステム２０とそれぞれ接続されている。
【００４０】
まず、操作制御部１３に対する電源供給について説明する。車両のアクセサリ（ＡＣＣ）電源がＯＮされると、バッテリー７０はＡＣＣ電源インターフェース１９２を介して、操作制御部１３へＡＣＣ電源を供給する。操作制御部１３がＡＣＣ電源系からの電力供給を受けると、５Ｖ電源１５が立ち上がり、ＶＣＣ電源インターフェース１９１を介してバッテリ７０の電圧を５Ｖに変換して、操作制御部１３への電力供給を開始する。
【００４１】
次に、遠隔操作デバイス１０の操作制御について説明する。操作制御部１３は、タッチセンサ１２の各電極の電位を計測し、計測値として電極が交差する箇所の静電容量値を取得する。操作制御部１３は取得した静電容量値の内、タッチセンサに指が接近していない通常時に比べて、静電容量値が最も変化した箇所を検知する。そして、上述したように、静電容量値が大きく変化している箇所は、指が接近している箇所であると推測される。つまり、操作制御部１３は最大静電容量値の変化量を検知することで、指と意匠パネル１１との距離を検知することが出来る。また、操作制御部１３は静電容量値がもっとも大きく変化している箇所を検知することで、タッチパネル上の指の接近箇所を検知することが出来る。また、操作制御部１３はプッシュスイッチ１６に押圧操作が行われると、決定操作入力を行う。そして、操作制御部１３は、検知した指の位置情報と決定操作情報とに基づいて、操作入力信号を送信するコンポーネントの切り替えや、各コンポーネントに対する操作入力信号を切り替える。操作制御部１３の操作入力信号の内容については後述する。
【００４２】
次に、遠隔操作デバイス１０と上記車両に搭載される各コンポーネントとの通信について説明する。通信制御部１４は、操作制御部１３により作成された操作入力信号を、通信インターフェース１７及びＣＡＮ５０を介して、中央演算装置２３とディスプレイシステム２０とに送信する。
【００４３】
図４は、遠隔操作デバイス１０によって操作するコンポーネントを切り替える時に、ＬＣＤ２１が表示する画面を示している。ＬＣＤ２１は、画面上部に画面切り替えアイコン２１１を表示する。画面切り替えアイコン２１１の種類はＭａｐアイコン２１１１、Ｄｅｓｔｉｎａｔｉｏｎアイコン２１１２、Ａｕｄｉｏアイコン２１１３、Ｐｈｏｎｅアイコン２１１４、Ｃｌｉｍａｔｅアイコン２１１５、Ｓｅｔｔｉｎｇアイコン２１１６である。また、ＬＣＤ２１は、選択アイコン２１２を画面切り替えアイコン２１１上に重畳表示する。また、ＬＣＤ２１は、遠隔操作デバイス１０が操作するコンポーネントの操作パネル画面２１３を表示する。画面切り替えアイコン２１１は、遠隔操作デバイス１０が行うコンポーネント切り替えと対応している。また、選択アイコン２１２は、遠隔操作デバイス１０のコンポーネント切り替えと対応した画面切り替えアイコン２１１上に重畳表示をする。つまり、ＬＣＤ２１は、遠隔操作デバイス１０によって、選択アイコン２１２が画面切り替えアイコン２１１と重畳表示されると、その画面切り替えアイコン２１１に対応した操作パネル画面２１３を表示する。
【００４４】
図５は、ＬＣＤ２１が表示する操作パネル画面２１３の種類を示している。操作パネル画面２１３は、遠隔操作デバイス１０が操作するコンポーネントと対応する画面を表示される。ＬＣＤ２１が表示する操作パネル画面２１３は、地図と現在地を示すＭａｐ画面２１３１、目的地設定するＤｅｓｔｉｎａｔｉｏｎ画面２１３２、音楽の選曲、ボリューム調整を行うＡｕｄｉｏ画面２１３３、電話番号を入力する画面であるＰｈｏｎｅ画面２１３４、エアコンの温度や風量を管理する画面であるＣｌｉｍａｔｅ画面２１３５である。また、ＬＣＤ２１はディスプレイシステム２０の各種設定を行うＳｅｔｔｉｎｇ画面２１３６を表示する。
【００４５】
図６は、遠隔操作デバイス１０が選択したコンポーネントに対する操作入力信号を入力する時に、ＬＣＤ２１が表示する画面の一例を示している。例えば、現在、Ａｕｄｉｏアイコン２１１３が選択された結果、ＬＣＤ２１はＡｕｄｉｏ画面２１３３を表示している。操作入力アイコン２１３０１は、遠隔操作デバイス１０がＡｕｄｉｏに対して行う操作入力の内容を視覚的に示している。四角の操作入力マーカ２１３０２は、遠隔操作デバイス１０が現在、操作入力しようとする操作入力アイコン２１３０１を囲む。例えば、図６では、曲名検索のア行の操作入力アイコン２１３０１が操作入力マーカ２１３０２に囲まれている。そして、操作入力マーカ２１３０２は、遠隔操作デバイス１０が現在、Ａｕｄｉｏコンポーネントに対して行う操作入力の内容を視覚的に示した操作入力アイコン２１３０１を囲む。つまり、ユーザは遠隔操作デバイス１０を用いて、操作入力マーカ２１３０２を移動し、操作入力マーカ２１３０２によって操作入力アイコン２１３０１を囲み、決定操作入力を行うと、操作入力マーカ２１３０２によって囲まれた操作入力アイコン２１３０１の操作入力信号をコンポーネントに対して送信する。
【００４６】
次に操作制御部１３の操作制御について説明する。操作制御部１３は、タッチセンサ１２から取得した静電容量値のうち、最大静電容量値を検知することで、指の位置情報を検知する。位置座標の検知方法については、後述する。そして、操作制御部１３は検知した指の位置情報と最大静電容量値の大きさとにより、コンポーネントの選択や選択したコンポーネントに対する操作入力を行う。まず、最大静電容量値と操作制御部１３の操作入力との関係について説明する。操作制御部１３は、取得した最大静電容量値の大きさによって、操作状態を切り替える。操作状態は、タッチ中、近接中、非接触中の３つの状態に分類される。
【００４７】
図７は最大静電容量値と操作状態との関係を示している。操作制御部１３は、最大静電容量値の閾値を記憶している。そして、操作制御部１３は、閾値間に範囲を設定する。操作制御部１３は指の接近時または接触時において、検知した最大静電容量値がどの閾値間の範囲に属するかにより、操作状態を切り替える。図８のＨｔｈ１、Ｈｔｈ２は最大静電容量値の閾値をそれぞれ示している。本実施形態では、Ｈｔｈ１の閾値は２００、Ｈｔｈ２の閾値は１００である。意匠パネル１１と指が近いほど、最大静電容量値は大きくなる。まず、最大静電容量値がＨｔｈ１以上（以下、タッチ中領域）の場合、操作制御部１３は操作状態をタッチ中に設定する。最大静電容量値がＨｔｈ２以上からＨｔｈ１未満の範囲（以下、近接中領域）の場合、操作制御部１３は操作状態を近接中に設定する。最大静電容量値がＨｔｈ２未満の範囲（以下、非接触中領域）の場合、操作制御部１３は操作状態を非接触中に設定する。
【００４８】
なお、閾値であるＨｔｈ１やＨｔｈ２は、図９、図１０のように現在の操作状態によって、変化するようにしてもよい。
【００４９】
次に、最大静電容量値と指の位置座標との関係について説明する。指の位置座標に関する情報は、意匠パネル１１上のｘ軸方向の座標であるｘ座標とｙ軸方向の座標であるｙ座標である。遠隔操作デバイス１０は、操作制御部１３の操作状態と操作制御部１３が検知するｘ座標、ｙ座標の組み合わせによって、操作入力を行うコンポーネントの切り替えや、コンポーネントに対する操作入力の内容の切り替えを行う。この時、ディスプレイシステム２０は、操作パネル画面２１３の切り替えや、操作入力マーカ２１３０２の切り替えを行う。
【００５０】
次に、位置座標について説明する。操作制御部１３は意匠パネル１１上の任意の場所を基準点とし、上述した意匠パネル１１上のｘ軸、ｙ軸に対してそれぞれ位置座標系を設定する。そして、操作制御部１３は取得した最大静電容量値の位置座標を、指の位置座標として検知する。そして、操作制御部１３は、指の位置座標に基づいて、コンポーネントの選択や選択中コンポーネントに対する操作入力を行う。具体的には、指のスライドを検知して、アイコンをスライド方向に選択アイコン２１２や操作入力マーカ２１３０２を移動させる。他にも、現在の指の位置座標によって、選択アイコン２１２や操作入力マーカ２１３０２が、移動されるようにしても良い。この時、ディスプレイシステム２０は、操作パネル画面２１３の切り替えや、操作入力マーカ２１３０２の切り替えを行う。
【００５１】
本実施形態において、遠隔操作デバイス１０は、操作状態が近接中であり、かつ近接中領域の指の移動を検知すると、選択するコンポーネントを切り替える。この時、ディスプレイシステム２０は、操作パネル画面２１３の切り替えを行う。そして、遠隔操作デバイス１０は、操作状態がタッチ中の時、タッチ中領域の指の移動し、決定操作入力が為されると、選択中コンポーネントに対する操作入力の内容を切り替える。この時、ディスプレイシステム２０は、操作入力マーカ２１３０２の切り替えを行う。そして、遠隔操作デバイス１０は、指が近接中領域、タッチ中領域のどちらにも位置していない時、コンポーネントに対する操作入力を行わない。この時、ディスプレイシステム２０は、表示画面を切り替えない。
【００５２】
なお、コンポーネントやコンポーネントに対する操作入力の内容を切り替えるための方法は、この構成に限るものではなく適宜変更することが出来る。例えば、操作状態がタッチ中の時に、タッチ中領域の指の移動によって、操作入力を行うコンポーネントを切り替える構成にしてもよい。
【００５３】
次に、本実施形態における、禁止状態及びその禁止状態を解除する方法について説明する。禁止状態において、遠隔操作デバイス１０は、近接中操作を行うことが出来ない。
【００５４】
遠隔操作デバイス１０を車両上に配置する際に、配置箇所によっては、ユーザが意図せずとも指が近接中領域を通過することがある。すると、遠隔操作デバイス１０は、ユーザの意図と異なり、コンポーネントに対する操作入力を行ってしまう可能性がある。この事を防ぐために、操作制御部１３は、特定の動作を行わないと、近接中領域において指を検知しても、コンポーネントに対して操作入力を行わない禁止状態を設定する。また、禁止状態において、ディスプレイシステム２０は表示画面を切り替えない。
【００５５】
なお、操作制御部１３が意匠パネル１１から所定距離以上における指の位置を検知しても、コンポーネントに対して操作入力を行わない状態を禁止状態としても良い。
【００５６】
次に、禁止状態の解除方法について説明する。図１１は、本実施形態における、禁止状態の解除方法を説明するために、遠隔操作デバイス１０を拡大した図である。
【００５７】
ガイド部８０は、ガイド部８０に沿った方向の電極と、その電極に交差する電極があり、電極同士の交差箇所が複数箇所設けられる。そして、各電極はそれぞれ、操作制御部１３と接続されている。そして、操作制御部１３は各電極の電位を測定し、計測値として各交差箇所の静電容量値を検知し、最大静電容量値となる交差箇所を検知することで、指の接近箇所を検知する。
【００５８】
操作制御部１３は通常、近接中操作を受け付けない禁止状態に設定されている。そして、指がガイド部８０を一定の距離（本実施形態では、１０ｃｍ）以上なぞった場合、操作制御部１３は禁止状態を解除する。そして、指がタッチ中領域、近接中領域のどちらにも位置しなくなった後、一定時間経過すると、再度禁止状態が設定される。禁止状態においては、上述した通り近接中領域において指が移動しても、操作制御部１３はコンポーネントに対して操作入力を行わない。そのため、遠隔操作デバイス１０はユーザの意図と異なる操作入力を行う可能性が低くなる。
【００５９】
次に、ユーザが遠隔操作デバイス１０を用いて、コンポーネントに対して操作入力を行う及びディスプレイシステム２０の切り替えを行う一連の流れを図１２〜図１７を用いて説明する。
【００６０】
図１２は、メインルーチンである。Ｓ２０１において、操作制御部１３は初期化処理を行う。初期化処理において、操作制御部１３はＲＡＭに記憶された近接中フラグを０に設定する。Ｓ２０２において、操作制御部１３は近接中フラグの設定をする処理サブルーチン１（図１５）を行う。Ｓ２０３において、操作制御部１３は、操作状態が近接中の時に実行される処理サブルーチン２（図１６）を行う。Ｓ２０４において、操作制御部１３は、操作状態がタッチ中の時に実行される処理サブルーチン３（図１７）を行う。Ｓ２０５において、操作制御部１３は決定操作入力の処理サブルーチン４（図１８）を行う。
【００６１】
図１３は、車両走行時であり、かつ操作状態が近接中である時に、ディスプレイシステム２０が表示する表示画面を示している。この時、操作制御部１３は特定のコンポーネントへの操作入力を制限する。つまり、図５に示す切替画面と比べて、車両走行時は、選択できるコンポーネントが少なくなっている。操作入力が制限されるコンポーネントは車両走行時に運転手が操作すると、運転手の負担となるコンポーネントである。そして、ディスプレイシステム２０は操作が制限されるコンポーネントの操作パネル画面２１３を表示しない。また、この時、ディスプレイシステム２０は制限されたコンポーネントの画面切り替えアイコン２１１を表示しない。本実施形態において、ディスプレイシステム２０が表示する画面切り替えアイコン２１１はＭＡＰアイコン２１１１、Ａｕｄｉｏアイコン２１１３、Ｃｌｉｍａｔｅアイコン２１１５、の３つである。
【００６２】
図１４は、車両走行時であり、かつ操作状態がタッチ中の時に、ディスプレイシステム２０が表示する表示画面を示している。操作制御部１３は車両走行中である場合、各コンポーネントに対する操作入力も簡易化する。簡易化する方法としては、図１４のように操作入力アイコン２１３０１の大きさを、車両停止時より大きくしても良いし、特定の操作入力アイコン２１３０１を表示しないようにする。例えば、図６の場合に比べて、車両走行時は、操作入力アイコン２１３０１の一例である、曲名検索のア行やカ行のアイコンが、大きくなっている。そのため、ユーザは操作入力アイコン２１３０１を素早く認識することが出来る。
【００６３】
次に、近接中フラグの処理について、図１５のフローチャートをもとに説明する。
【００６４】
Ｓ２０２１において、操作制御部１３は、ガイド部８０からガイド部８０における、静電容量値であるガイド部静電容量値を取得する。
【００６５】
Ｓ２０２２において、操作制御部１３は、取得したガイド部静電容量値の内のガイド部最大静電容量値と所定値を比較する。所定値は、指が接近しているか否かの判定に用いる静電容量値であり、ＲＡＭに予め記憶されている。最大静電容量値が所定値以上の場合、Ｓ２０２３へ進み、そうでなければサブルーチン１を終了する。
【００６６】
Ｓ２０２３において、操作制御部１３は、ガイド部８０上のガイド部最大静電容量値となる箇所を検知する。この時、操作制御部１３は、ガイド部最大静電容量値を示した箇所ａを記憶するＳ２０２４において、操作制御部１３は、タイマー測定を開始し、変数ｔ＝０と設定する。
【００６７】
Ｓ２０２５において、操作制御部１３は、箇所ａと現在時刻において、上記所定値以上となる値である、ガイド部最大静電容量値を示す箇所ｂとの距離を比較する。この時、箇所ａと箇所ｂとの距離が１０ｃｍ以上離れていれば、Ｓ２０２６へ進み、そうでなければ、Ｓ２０２７へ進む。つまり、操作制御部１３はガイド部８０上において指が１０ｃｍ以上移動したことを検知すると、Ｓ２０２６へ進む。なお、距離は１０ｃｍに限定されるものではなく、適宜変更可能である。また、指は必ずしもガイド部８０に接触している必要はなく、近接する指の移動を検知するようにしても良い。
【００６８】
Ｓ２０２６において、操作制御部１３は、近接中フラグを１に設定し、サブルーチン１を終了する。
【００６９】
Ｓ２０２７において、操作制御部１３は、指がタッチ中領域に位置しているかどうかを検知する。つまり、操作制御部はタッチセンサ１２から取得した、タッチセンサ１２における最大静電容量値であるセンサ側最大静電容量値が図７の閾値Ｈｔｈ１以上かどうかを検知する。操作制御部１３は指がタッチ中領域に位置していると検知した場合サブルーチン１を終了し、そうでなければＳ２０２８進む。
【００７０】
Ｓ２０２８において、操作制御部１３は、ガイド部最大静電容量値となる箇所ｂの有無を、検知する。ガイド部最大静電容量値となる箇所ｂが無くなった場合、サブルーチン１を終了する。そうでなければ、Ｓ２０２９へ進む。一旦、指がガイド部８０から離れると、ガイド部８０の静電容量値は上記所定値未満となる。つまり、操作制御部１３は、指がガイド部８０に沿って動いているかどうかを、検知することが出来る。
【００７１】
Ｓ２０２９において、操作制御部１３はｔ＝０から５秒経過したかどうかを、検知する。５秒を超えた場合、サブルーチン１を終了し、そうでなければ、Ｓ２０２５へ戻る。操作制御部１３は、指がガイド部８０に接近してから、５秒以内に１０ｃｍ以上移動した場合、近接中フラグを１に設定する。つまり、指がガイド部８０をなぞる時間を制限することが出来る。
【００７２】
次に、図１６を用いて、操作状態が近接中の時の、操作制御部１３の操作入力内容を説明する。
【００７３】
Ｓ２０３１において、操作制御部１３は、近接中フラグが１であるかどうかを検知する。近接中フラグが１の場合、Ｓ２０３２へ進み、そうでなければ、サブルーチン２を終了する。
【００７４】
Ｓ２０３２において、操作制御部１３は、指が近接中領域、タッチ中領域のいずれかに位置しているかどうかを検知する。つまり、操作制御部１３は、タッチセンサ１２から取得したセンサ側最大静電容量値が図７の閾値Ｈｔｈ２未満かどうかを検知する。指がタッチ中領域または近接中領域に位置していればＳ２０３３へ進み、そうでなければサブルーチン２を終了する。
【００７５】
Ｓ２０３３において、操作制御部１３は、指がタッチ中領域に位置しているかどうかを検知する。つまり、操作制御部１３は、センサ側最大静電容量値が図７の閾値Ｈｔｈ１以上かどうかを検知する。操作制御部１３は、指がタッチ中領域に位置していると検知した場合、サブルーチン３を終了し、そうでなければＳ２０３４に進む。
【００７６】
Ｓ２０３４において、操作制御部１３は、近接中領域におけるセンサ側最大静電容量値の位置座標を検知し、指の位置座標を検知する。
【００７７】
Ｓ２０３５において、操作制御部１３は、車両が走行中かどうかを検知する。車両が走行中であれば、Ｓ２０３６へ進み、そうでなければＳ２０３７へ進む。本実施形態では、車両の車速が２０ｋｍ／ｈであれば、車両が走行中であると判断される。
【００７８】
Ｓ２０３６において、操作制御部１３は、特定のコンポーネントに対する操作入力を制限された状態で、コンポーネントの選択入力を行う。その後、Ｓ２０３２へ戻る。
【００７９】
Ｓ２０３７において、操作制御部１３は、コンポーネントの選択入力を行う。その後、Ｓ２０３２に戻る。
【００８０】
次に、図１７のフローチャートをもとに、操作状態がタッチ中の処理を説明する。
【００８１】
Ｓ２０４１において、操作制御部１３は、指がタッチ中領域に位置しているかどうかを検知する。つまり、操作制御部１３は、センサ側最大静電容量値が図７の閾値Ｈｔｈ１以上かどうかを検知する。指がタッチ中領域に位置していればＳ２０４２へ進み、そうでなければ、サブルーチン２を終了する。
【００８２】
Ｓ２０４２において、操作制御部１３は、タッチ中領域におけるセンサ側最大静電容量値の位置座標を検知し、指の位置座標を検知する。
【００８３】
Ｓ２０４３において、操作制御部１３は車両が走行中かどうかを検知する。車両が走行中であれば、Ｓ２０４４へ進み、そうでなければＳ２０４５へ進む。
【００８４】
Ｓ２０４４において、操作制御部１３は図１４の簡易操作入力状態で、選択中コンポーネント及びディスプレイシステム２０に対する操作入力を行う。その後、Ｓ２０４１へ戻る。
【００８５】
Ｓ２０４５において、操作制御部１３は、選択中コンポーネント及び、ディスプレイシステム２０に対する操作入力を行う。その後、Ｓ２０４１へ戻る。
【００８６】
次に、図１８を用いて、操作制御部１３の決定操作入力について説明する。
【００８７】
Ｓ２０５１において、操作制御部１３は決定操作タイマｔｐ＝０に設定する。その後Ｓ２０５２へ進む。
【００８８】
Ｓ２０５２において、操作制御部１３はプッシュスイッチ１６が押圧されたかどうかを検知する。プッシュスイッチ１６が押圧されれば、Ｓ２０５３へ進み、そうでなければＳ２０５４へ進む。
【００８９】
Ｓ２０５３において、操作制御部１３は選択中コンポーネント及びディスプレイシステムに対して、決定操作入力を行う。その後、サブルーチン４を終了する。
【００９０】
Ｓ２０５４において、操作制御部１３は決定操作タイマｔｐが５以上かどうかを検知する。つまり、操作制御部１３は、指が近接中領域及びタッチ中領域に位置していないと検知してから、５秒間経過したかどうかを検知する。決定操作タイマｔｐが５以上であれば、サブルーチン４を終了し、そうでなければＳ２０５２へ戻る。
【００９１】
（第二実施形態）
次に、第二実施形態について、図１９〜図２５を用いて説明する。
【００９２】
図１９は第二実施形態における、遠隔操作デバイス１０を含む車室内の様子を示している。遠隔操作デバイス１０には、運転席側に設けられたガイド部８０とは別に、車室内のセンターコンソール４０に沿って、助手席側に先端が伸びる助手席側ガイド部８１が更に設けられている。また、助手席側ガイド部８１は運転手の指により、なぞる事が出来ない位置に設けられている。そして、助手席側ガイド部８１は、助手席の乗員である助手の指がなぞることが出来る位置に設けられる。そのため、操作制御部１３は助手席側ガイド部８１から取得したガイド部最大静電容量値が一定以上移動した場合、助手が遠隔操作デバイス１０を操作するつもりであることを検知する。そして、車両が走行中であっても、助手席側ガイド部８１により、禁止状態が解除された場合、特定のコンポーネントに対する操作入力を制限されない。また、簡易入力状態とならずに、遠隔操作デバイス１０を操作することが出来る。
【００９３】
図２０は、第二実施形態におけるメインルーチンである。Ｓ３０１において、操作制御部１３は初期化処理を行う。初期化処理において、操作制御部１３はＲＡＭに記憶された近接中フラグを０に設定する。また、操作制御部１３は助手が遠隔操作デバイス１０を操作するつもりかどうかを検知するＰ席フラグを０に設定する。Ｓ３０２において、操作制御部１３は、近接中フラグの設定をする処理サブルーチン１（図２１）を行う。Ｓ３０３において、操作制御部１３は、Ｐ席フラグの設定をする処理であるサブルーチン２（図２２）を行う。Ｓ３０４において、操作制御部１３は、操作状態が近接中の時、実行する処理サブルーチン３（図２３）を行う。Ｓ３０５において、操作制御部１３は、操作状態がタッチ中の時、実行する処理サブルーチン４（図２４）を行う。Ｓ３０６において、操作制御部１３は、決定操作入力の処理サブルーチン５（図２５）を行う。
【００９４】
近接中フラグの処理について、図２１のフローチャートをもとに説明する。
【００９５】
Ｓ３０２１において、操作制御部１３は、ガイド部８０及び助手席側ガイド部８１の静電容量値を取得する。そして、Ｓ３０２２へ進む。
【００９６】
Ｓ３０２２において、操作制御部１３は、ガイド部８０と助手席側ガイド部８１から取得した静電容量値の内のそれぞれの最大静電容量値と所定値とを比較する。所定値は、指が接近したかどうかを判定するための静電容量値であり、ＲＡＭに予め記憶されている。取得したそれぞれの最大静電容量値の内いずれかが所定値以上の場合、Ｓ３０２３へ進み、そうでなければサブルーチン１を終了する。ここでは、助手席側ガイド部８１、ガイド部８０の内、ガイド部最大静電容量値を取得した方のガイド部を反応ガイド部と呼ぶ。
【００９７】
Ｓ３０２３において、操作制御部１３は、反応ガイド部上のガイド部最大静電容量値となる箇所を検知する。この時、操作制御部１３は、ガイド部最大静電容量値を示した箇所ａを記憶する。
【００９８】
Ｓ３０２４において、操作制御部１３は、タイマー測定を開始し、変数ｔ＝０と設定する。
【００９９】
Ｓ３０２５において、操作制御部１３は、箇所ａと現在時刻における、上記所定値以上となるガイド部最大静電容量値を示す箇所ｂとの距離を比較する。この時、箇所ａと箇所ｂとの距離が１０ｃｍ以上離れていれば、Ｓ３０２６へ進み、そうでなければ、Ｓ３０２７へ進む。つまり、反応ガイド部上で、指が１０ｃｍ以上移動すると、Ｓ３０２６へ進む。なお、距離の値は１０ｃｍに限定されるものではなく、適宜変更可能である。
【０１００】
Ｓ３０２６において、操作制御部１３は、近接中フラグを１に設定し、サブルーチン１を終了する。
【０１０１】
Ｓ３０２７において、操作制御部１３は、指がタッチ中領域に位置しているかどうかを検知する。つまり、操作制御部１３は、最大静電値容量が図７の閾値Ｈｔｈ１以上かどうかを検知する。操作制御部１３は指がタッチ中領域に位置していることを検知した場合、サブルーチン１を終了し、そうでなければＳ３０２８進む。
【０１０２】
Ｓ３０２８において、操作制御部１３は、上記所定値以上となるガイド部最大静電容量値となる箇所ｂの有無を、検知する。上記所定値以上となるガイド部最大静電容量値となる箇所ｂが無くなった場合、操作制御部１３はサブルーチン１を終了する。そうでなければ、Ｓ３０２９へ進む。一旦、指が反応ガイド部から離れると、反応ガイド部上の静電容量値は上記所定値未満となる。つまり、操作制御部１３は、指が反応ガイド部に沿って動いているかどうかを、検知することが出来る。
【０１０３】
Ｓ３０２９において、操作制御部１３はｔ＝０から５秒経過したかどうかを、検知する。５秒を超えた場合、サブルーチン１を終了し、そうでなければ、Ｓ３０２５へ戻る。操作制御部１３は、指が反応ガイド部に接近してから、５秒以内に１０ｃｍ以上移動した場合、近接中フラグを１に設定する。つまり、指が反応ガイド部をなぞる時間を制限することが出来る。
【０１０４】
次に、図２２を用いて、Ｐ席フラグの設定を行うサブルーチン２の説明をする。
【０１０５】
Ｓ３０３１において、操作制御部１３は近接中フラグが１かどうかを検知する。近接中フラグが１であれば、Ｓ３０３２へ進み、そうでなければサブルーチン２を終了する。
【０１０６】
Ｓ３０３２において、操作制御部１３はガイド部８０、助手席側ガイド部８１のどちらのガイド部からガイド部最大静電容量値を取得したかを検知する。助手席側ガイド部８１から取得した場合、Ｓ３０３３へ進み、そうでなければサブルーチン２を終了する。つまり、操作制御部１３はどちらの運転手、助手席の乗員の内、どちらの乗員が遠隔操作デバイス１０を操作しようとしているかを検知する。
【０１０７】
Ｓ３０３３において、操作制御部１３はＰ席フラグを１に設定する。そして、サブルーチン２を終了する。
【０１０８】
次に、図２３を用いて、操作状態が近接中の時の、操作制御部１３の操作入力内容を説明する。
【０１０９】
Ｓ３０４１において、操作制御部１３は、近接中フラグが１かどうかを検知する。近接中フラグが１の場合、Ｓ３０４２へ進み、そうでなければ、サブルーチン２を終了する。
【０１１０】
Ｓ３０４２において、操作制御部１３は指が近接中領域またはタッチ中領域のいずれかに位置しているかどうかを検知する。つまり、操作制御部１３は、センサ側最大静電容量値が図７の閾値Ｈｔｈ２未満かどうかを検知する。そして、操作制御部１３は、指がタッチ中領域、近接中領域のいずれかに位置していると検知した場合、Ｓ３０４３へ進み、そうでなければ、サブルーチン３を終了する。
【０１１１】
Ｓ３０４３において、操作制御部１３は、指がタッチ中領域に位置しているかどうかを検知する。つまり、操作制御部１３は、センサ側最大静電容量値が図７の閾値Ｈｔｈ１以上かどうかを検知する。指がタッチ中領域に位置していればサブルーチン３を終了し、そうでなければＳ３０４４に進む。
【０１１２】
Ｓ３０４４において、操作制御部１３は、近接中領域におけるセンサ側最大静電容量値の位置座標を検知し、近接中領域における指の位置座標を検知する。その後、Ｓ３０４５へ進む。
【０１１３】
Ｓ３０４５において、操作制御部１３は、Ｐ席フラグが１かどうかを検知する。Ｐ席フラグが１であればＳ３０４６へ進み、そうでなければＳ３０４７へ進む。
【０１１４】
Ｓ３０４６において、操作制御部１３は、指の位置座標に基づいて、コンポーネントを選択する。その後、Ｓ３０４２に戻る。
【０１１５】
Ｓ３０４７において、操作制御部１３は、車両が走行中かどうかを検知する。車両が走行中であれば、Ｓ３０４８へ進み、そうでなければＳ３０４９へ進む。
【０１１６】
Ｓ３０４８において、操作制御部１３は、特定コンポーネントを選択入力を制限された状態で、指の位置座標に基づいて、コンポーネントを選択する。その後、Ｓ３０４２に戻る。
【０１１７】
Ｓ３０４９において、操作制御部１３は、指の位置座標に基づいて、コンポーネントを選択入力する。その後、Ｓ３０４２に戻る。
【０１１８】
次に、図２４のフローチャートをもとに、操作状態がタッチ中の処理を説明する。
【０１１９】
Ｓ３０５１において、操作制御部１３は、指がタッチ中領域に位置しているかどうかを検知する。つまり、操作制御部１３は、センサ側最大静電容量値が図７の閾値Ｈｔｈ１以上かどうかを検知する。指がタッチ中領域に位置していれば、Ｓ３０５２へ進み、そうでなければ、サブルーチン２を終了する。
【０１２０】
Ｓ３０５２において、操作制御部１３は、タッチ中領域におけるセンサ側最大静電容量値の位置座標を検知し、指の位置座標を検知する。
【０１２１】
Ｓ３０５３において、操作制御部１３は、Ｐ席フラグが１かどうかを検知する。Ｐ席フラグが１であればＳ３０５４へ進み、そうでなければＳ３０５５へ進む。
【０１２２】
Ｓ３０５４において、操作制御部１３は選択中のコンポーネント及びディスプレイシステム２０に対して操作入力を行う。その後、Ｓ３０５１へ戻る。
【０１２３】
Ｓ３０５５において、操作制御部１３は車両走行中かどうかを検知する。車両走行中であれば、Ｓ３０５６へ進み、そうでなければＳ３０５７へ進む。
【０１２４】
Ｓ３０５６において、操作制御部１３は簡易操作入力状態で、選択中のコンポーネント及びディスプレイシステム２０に対して操作入力を行う。その後、Ｓ３０５１へ戻る。
【０１２５】
Ｓ３０５７において、操作制御部１３は選択中のコンポーネント及びディスプレイシステム２０に対して操作入力を行う。具体的には、図１４の操作画面に示すような方法で、操作入力アイコンを選択する。その後、Ｓ３０５１へ戻る。
【０１２６】
次に、図２５を用いて、操作制御部１３の決定操作入力について説明する。
【０１２７】
Ｓ３０６１において、操作制御部１３は決定操作タイマｔｐ＝０に設定する。その後、Ｓ３０６２へ進む。
【０１２８】
Ｓ３０６２において、操作制御部１３はプッシュスイッチ１６が押圧されたかどうかを検知する。プッシュスイッチ１６が押圧されれば、Ｓ３０６３へ進み、そうでなければＳ３０６４へ進む。
【０１２９】
Ｓ３０６３において、操作制御部１３は選択中のコンポーネント及びディスプレイシステムに対して、選択中の操作入力アイコンの決定操作入力を行う。その後、サブルーチン４を終了する。
【０１３０】
Ｓ３０６４において、操作制御部１３は決定操作タイマｔｐが５以上かどうかを検知する。つまり、操作制御部１３は、指が近接中領域及びタッチ中領域に位置していないと検知してから、５秒間経過したかどうかを検知する。決定操作タイマｔｐが５以上であれば、サブルーチン４を終了し、そうでなければＳ３０６２へ戻る。
【０１３１】
なお、第一実施形態及び第二実施形態において、表示装置はディスプレイシステム２０としたが、本発明はこの構成に限るものでなく、ヘッドアップディスプレイなど、表示機能を持つものであれば適宜変更可能である。
【０１３２】
また、操作体は指としたが、タッチペンや手のひらなどにしても良い。
【０１３３】
また、第一実施形態及び第二実施形態において、第１計測値及び第２計測値は最大静電容量値としたが、操作体と操作面との距離に応じて変化するものであれば、適宜変更可能である。
【０１３４】
また、第１操作領域をタッチ中領域、第２操作領域を近接中領域とし、操作領域は２つにしたが、閾値を増やし、操作領域を更に設けても良い。
【０１３５】
また、切替操作部は、遠隔操作デバイス１０と接続しているガイド部８０とし、禁止状態解除信号は最大静電容量値としたが、近接中領域から外れた領域に設けられるもので、信号送信を行う機能があれば、適宜変更可能である。例えば、図２６のように、ハンドルの右側に切替スイッチ８０を設ければ、運転手が切替スイッチ８０に触れている間、禁止状態が解除される。
【０１３６】
なお、ガイド部８０をユーザがなぞる場合に、ユーザがなぞるにつれて、音を発するようにしても良い。
【０１３７】
また、上述した方法では、ガイド部８０及び助手席側ガイド部８１に沿った指の移動を検出した場合、禁止状態を解除するようにしたが、ガイド部８０及び助手席側ガイド部８１において、タッチセンサ１２に近づく指の移動を検知した場合のみ、禁止状態を解除するようにしても良い。
【０１３８】
また、決定操作入力後にメインルーチンを終了せず、一定時間、遠隔操作デバイス１０の操作が行われなければ終了するようにし、そうでなければ、近接中操作の処理へ戻るようにしても良い。このようにすると、近接中操作、タッチ中操作及び決定操作入力を交互に行うことが出来る遠隔操作デバイス１０とすることが出来る。
【０１３９】
また、表示装置はディスプレイシステム２０としたが、ヘッドアップディスプレイなどの表示機能を有するものであれば、適宜変更可能である。
【０１４０】
なお、上記入力装置は、コンポーネントや表示装置に対する入力だけでなく、その他の機器を操作入力することが出来る。
【符号の説明】
【０１４１】
１０  遠隔操作デバイス、１１  意匠パネル、１２  タッチセンサ、１３  操作制御部、１４  通信制御部、１５  ５Ｖ電源、１６  プッシュスイッチ、２０  ディスプレイシステム、２１  液晶ディスプレイ（ＬＣＤ）、２１１  画面切り替えアイコン、２１２  選択アイコン、２１３  操作パネル画面、２２  表示制御部、３０  センターコンソール、４０  ダッシュボード、５０  Ｃｏｎｔｒｏｌｌｅｒ  Ａｒｅａ  Ｎｅｔｗｏｒｋ、６０  メータ制御部、７０  バッテリー、８０  ガイド部、８１  助手席側ガイド部。
【図１】
2015030388.tif 000003
【図２】
2015030388.tif 000004
【図３】
2015030388.tif 000005
【図４】
2015030388.tif 000006
【図５】
2015030388.tif 000007
【図６】
2015030388.tif 000008
【図７】
2015030388.tif 000009
【図８】
2015030388.tif 000010
【図９】
2015030388.tif 000011
【図１０】
2015030388.tif 000012
【図１１】
2015030388.tif 000013
【図１２】
2015030388.tif 000014
【図１３】
2015030388.tif 000015
【図１４】
2015030388.tif 000016
【図１５】
2015030388.tif 000017
【図１６】
2015030388.tif 000018
【図１７】
2015030388.tif 000019
【図１８】
2015030388.tif 000020
【図１９】
2015030388.tif 000021
【図２０】
2015030388.tif 000022
【図２１】
2015030388.tif 000023
【図２２】
2015030388.tif 000024
【図２３】
2015030388.tif 000025
【図２４】
2015030388.tif 000026
【図２５】
2015030388.tif 000027
【図２６】
2015030388.tif 000028